(57)【要約】      （修正有）【課題】財布本体の型崩れを防止し、硬貨や紙幣、カード類の取り出しし易くした財布を提供する。【解決手段】財布１０は、財布１０の表側を構成する外装面部材１１と、硬貨を収納する硬貨収納部２０と、紙幣やレシート等を収納する紙幣収納部３０と、クレジットカードやキャッシュカード等を収納するカード収納部４０，４１と、財布１０の略中央に形成される折り部５０と、財布１０の二つ折り状態を保持するための突出片６０とから構成されている。【選択図】図１
0003144461.tif 000002
【実用新案登録請求の範囲】
【請求項１】
財布本体を折り曲げることにより二つ折り可能とし、財布本体の内側に硬貨を収納する硬貨収納部と、紙幣を収納する紙幣収納部と、カードを収納するカード収納部とを備える財布において、
前記財布本体の表面を形成する剛性の外装面部材と、
該外装面部材の内側に縫着され、前記硬貨収納部と前記紙幣収納部と前記カード収納部とを一体化した軟性の袋状部材とを備えることを特徴とする財布。
【請求項２】
前記硬貨収納部は、その開口部が前記財布の長さ方向に向かって開口するように形成されていることを特徴とする請求項１記載の財布。
【請求項３】
前記紙幣収納部は、その開口部が前記財布の幅方向に向かって開口するように形成されていることを特徴とする請求項１記載の財布。
【請求項４】
前記紙幣収納部は、内部に仕切り部材を設け、開口側から該仕切り部材を覆う蓋部材を有することを特徴とする請求項１又は３記載の財布。
【考案の詳細な説明】
【技術分野】
【０００１】
本考案は、折り畳み可能な財布に関し、特に、型崩れの防止とスムーズに硬貨や紙幣及びカード類が取り出せる財布に関する。
【背景技術】
【０００２】
従来からキャッシュカードやクレジットカード等のカード類を収納するカード類収納部と、紙幣や硬貨を収納する貨幣類収納部とを備えた折り畳み可能な財布がある。このような財布は、３辺を縫着して紙幣を収納する紙幣収納部を備えた意匠カバーと、意匠カバーの略中央の曲げ部の右側に硬貨を収納部を備え、曲げ部の左側にカード類を収納するカード類収納部を備えており、曲げ部で意匠カバーを曲げることにより財布を折り畳むことができる。そして、このような財布は、コンパクトであり持ち運びや鞄やバックに収納しやすいといった利点がある。
【０００３】
上記した財布の一例として、特許文献１で提案されている財布がある。この財布１００は、図８に示すように、外側面部材１０１と内側面部材１０２との３端辺を縫着することで紙幣の挿入および取出しが可能な開口が形成されており、曲げ部１０３を中心として右側には硬貨収納部１０４が設けられ、左側には、カード収納部１０５が設けられている。硬貨収納部１０４とカード収納部１０５は、内側面部材１０２に縫着されており、硬貨収納部１０４が設けられている側の外側面部材１０１には、財布１００を折り畳んだ状態を保持するための突出片１０６が設けられている。
【特許文献１】登録実用新案第３１３４７９８号公報
【考案の開示】
【考案が解決しようとする課題】
【０００４】
しかしながら、特許文献１で提案されている財布では、以下に示すような問題がある。
財布１００を折り畳んだ状態の時、硬貨収納部１０４は外側面部材１０１とカード収納部１０５に挟まれた状態であって、硬貨収納部１０４から硬貨を取り出す場合は、財布１００を広げた状態にする必要がある。通常、買い物をしてお金を支払う際には、硬貨収納部１０４に収納している硬貨から支払い、それで足りない場合には、紙幣を支払うのが一般的である。このことからすると、一旦、財布１００を広げて硬貨収納部１０４から硬貨を取り出し、硬貨収納部１０４を閉じてから紙幣と取り出すといった煩わしい作業を必要とする。
【０００５】
また、意匠カバーや硬貨収納部、カード収納部に同一の生地を用いるのが一般的であり、例えば、軟性のある革を生地として用いる場合には、財布自体にクッション性があるため、大量の硬貨やカード類を収納したときに財布全体の膨らみを軽減することができるが、逆に財布本体の型崩れを起こしやすい。
また、剛性のある革を生地として用いる場合には、財布の型崩れはしないものの、大量の硬貨やカード類を収納したときに、硬貨収納部１０４やカード収納部１０５が膨らんでしまい、財布内部を圧迫するため、傷めてしまうおそれがある。
【０００６】
本考案は係る問題を鑑みてなされたものであり、財布本体の型崩れを防止し、硬貨や紙幣、カード類の取り出し易くした財布を提供することを目的とする。
【課題を解決するための手段】
【０００７】
上記目的を達成するために、本考案の財布は、財布本体を折り曲げることにより二つ折り可能とし、財布本体の内側に硬貨を収納する硬貨収納部と、紙幣を収納する紙幣収納部と、カードを収納するカード収納部とを備える財布において、前記財布本体の表面を形成する剛性の外装面部材と、該外装面部材の内側に縫着され、前記硬貨収納部と前記紙幣収納部と前記カード収納部とを一体化した軟性の袋状部材とを備えることを特徴とする。
【０００８】
また、本考案の財布は、前記硬貨収納部は、その開口部が前記財布の長さ方向に向かって開口するように形成されていることを特徴とする。
【０００９】
また、本考案の財布は、前記紙幣収納部は、その開口部が前記財布の幅方向に向かって開口するように形成されていることを特徴とする。
【００１０】
さらに、本考案の財布は、前記紙幣収納部は、内部に仕切り部材を設け、開口側から該仕切り部材を覆う蓋部材を有することを特徴とする。
【考案の効果】
【００１１】
本考案によれば、剛性の革を素材とした外装面部材と、軟性の革を素材とした袋状部材により、大量の硬貨や紙幣、カード類を収納したときの財布の型崩れや不恰好な膨らみを防止することができる。また、硬貨収納部を開いた状態でも紙幣収納部から紙幣と取り出したり、カード収納部からカード類を取り出すことができるため、買い物等をスムーズに行うことができる。
【考案を実施するための最良の形態】
【００１２】
以下、添付図面を参照しながら、本考案の実施の形態に係る財布について詳細に説明する。
図１は、二つ折り財布が開いた状態を示した図であり、図２は、二つ折り財布を折り畳んだ状態を示した図であり、図３及び図４は、二つ折り財布が開いた状態での側面を示した図であり、図５は、紙幣収納部の開口を広げた状態を示した図であり、図６は、紙幣収納部の開口の詳細な構成を示した図であり、図７は、硬貨収納部とカード収納部の詳細な構成を示した図である。
【００１３】
図１に示すように、財布１０は、財布１０の表側を構成する外装面部材１１と、硬貨を収納する硬貨収納部２０と、紙幣やレシート等を収納する紙幣収納部３０と、クレジットカードやキャッシュカード等を収納するカード収納部４０，４１と、財布１０の略中央に形成される折り部５０と、財布１０の二つ折り状態を保持するための突出片６０とから構成されている。
なお、硬貨収納部２０とカード収納部４０は、同一方向（財布１０の長さ方向、図では右側）に向かって開口している。
【００１４】
図２に示すように、財布１０は折り部５０で二つ折りにされ、図１に示す突出片６０に設けられたホック６１と、外装面部材１１の表面に設けられたホック（図示せず）を係合することで二つ折り状態が保持される。上述のように、硬貨収納部２０の開口は財布１０の長さ方向に向かって開口するように構成されているので財布１０を二つ折りにした状態でも硬貨収納部２０が開閉可能であって、硬貨を取り出すことができる。
【００１５】
外装面部材１１は、硬さの異なる長尺状のシートを縫着することで成形されており、図３及び図４に示すように、表面側のシート１１ａは、剛性の革を素材とし、裏面側のシート１１ｂは、軟性の革を素材としている。そして、裏面側のシート１１ｂには、硬貨収納部２０と、紙幣収納部３０と、カード収納部４０が一体化した袋状部材７０が縫着されている。
なお、硬貨収納部２０と、紙幣収納部３０と、カード収納部４０も裏面側のシート１１ｂと同様に軟性の革を素材としている。
【００１６】
また、図３及び図４に示すように、袋状部材７０は、外装面部材１１よりもやや小さい一対の長尺状のシート７１，７２を縫着することで成形されている。シート７１の周縁近傍を外装面部材１１の裏面側のシート１１ｂに縫着して外装面部材１１に固定し、シート７１の周縁部をシート７２と部分的に縫着している。シート７１とシート７２とは、カード収納部４０側の側端縁および、紙幣収納部３０の開口の反対側の長手方向の一部とで縫着されて開口を形成することで紙幣収納部３０を成形している。
【００１７】
紙幣収納部３０は、紙幣等の寸法に相応する大きさの開口を有する。そして、図５に示すように、開口側から開口内部に向かって、蓋部材３１が長手方向にわたって形成されている。図６に示すように、開口内部には仕切り部材３２を設けることでポケット３３を形成し、このポケット３３の取出口を蓋部材３１が覆っている。この蓋部材３１をめくることによりポケット３３の取出口を開口することができ、蓋部材３１を閉じることで取出口を覆い、収納物の落下を防止することができる。
【００１８】
次に、図７を参照して、硬貨収納部２０及びカード収納部４０の構成について説明する。
硬貨収納部２０は、外装面部材１１の側端縁に沿って横向きに開口するように、両側に側面部材２１を縫着させ、開口を開閉可能にするためにファスナー２２を設けている。
【００１９】
カード収納部４０，４１は、折り部５０の両側に対向するようにして設けられている。カード収納部４０は、複数のポケット４２を有する袋体４３からなり、開袋時に財布１０の長手方向へ蛇腹状に伸縮するようにして形成されている。ポケット４２の両端は、隣り合う他のポケット４２の両端と縫着されており、一端のポケット４２は、前述したシート７２に縫着されている。
【００２０】
ポケット４２の内部には、仕切り壁４４が設けられている。仕切り壁４４は、ポケット４２を構成する袋状の部材の縦方向よりも高く、ポケット４２の両端と縫着されている。ポケット４２にカード類を収納する際には、仕切り壁４４の両側に差し込むようにして収納する。
また、ポケット４２の側部には、ポケット４２を補強するための補強部材４５が縫着されており、何度もカード類の出し入れによるポケット４２の損傷を防止する。また、カード収納部４１は、前述したシート７２に仕切り部材４６を階段状に重ね両端を縫着することで、多段状のカード差込口を形成している。
【００２１】
以上の説明から、本実施形態に係る財布は、外装面部材の表面に剛性の革を使用し、硬貨収納部と、紙幣収納部と、カード収納部に軟性の革を使用している。これにより、表面側では、剛性の革によって財布の型崩れを防止することができ、それぞれの収納部では、大量の硬貨や紙幣、カード類を収納しても軟性の革がクッションの役割を果たし、財布が不恰好に膨れたりすることを防止することができる。
【００２２】
また、外装面部材の裏面側のシートにのみ袋状部材を固定するための縫着を施すことから、外装面部材の表面側の見た目を損なうことがない。
【００２３】
また、例えば、硬貨収納部を開口したままでも、財布の向きを変えることなく、紙幣収納部から紙幣を取り出したり、カード収納部からカードを取り出したりすることができるため、スムーズに、硬貨や紙幣、カードを取り出すことができる。
【００２４】
また、紙幣収納部内に設けられた仕切り部材と、この仕切り部材を覆う蓋部材により、例えば、紙幣以外のレシートや商品券を収納することができ、蓋部材によってそれらの落下を防止することができる。
【図面の簡単な説明】
【００２５】
【図１】本考案に係る財布の構成を示した図である。
【図２】図１に示す財布を二つ折りにした状態を示した図である。
【図３】財布の一方の側面を示した図である。
【図４】財布の他方の側面を示した図である。
【図５】財布の紙幣収納部の開口を広げた状態を示した図である。
【図６】財布の紙幣収納の詳細な構成を示した図である。
【図７】硬貨収納部とカード収納の詳細な構成を示した図である。
【図８】従来の二つ折りの財布の構成を示した図である。
【符号の説明】
【００２６】
１０    財布
１１    外装面部材
１１ａ、１１ｂ    シート
２０    硬貨収納部
２１    側面部材
２２    ファスナー
３０    紙幣収納部
３１    蓋部材
３２    仕切り部材
３３    ポケット
４０、４１    カード収納部
４２    ポケット
４３    袋体
４４    仕切り壁
４５    補強部材
４６    仕切り部材
５０    折り部
６０    突出片
６１    ホック
７０    袋状部材
７１、７２    シート
【図１】
0003144461.tif 000003
【図２】
0003144461.tif 000004
【図３】
0003144461.tif 000005
【図４】
0003144461.tif 000006
【図５】
0003144461.tif 000007
【図６】
0003144461.tif 000008
【図７】
0003144461.tif 000009
【図８】
0003144461.tif 000010